(57)【要約】【課題】ディスク１上に点在する空き領域の中から、転送レートに応じた容量を有する空き領域を選択して記録信号の記録を行うことで、一連の記録信号の連続的な記録再生を可能とする。【解決手段】システムコントローラ３が、ディスク１に記録されているコントロールデータに基づいて、データ領域間の全ての空き領域の位置と容量をそれぞれ検出し、その空き領域に所定の転送レートで記録信号の記録を行う場合に、データ領域のシークに要する時間、第１のトラックバッファ１０の容量等に基づいて、一連の記録信号の連続的な記録再生が可能であるか否かを判別する。そして、一連の記録信号の連続的な記録再生が可能であると判断された空き領域を選択して記録信号の記録を行う。これにより、一連の記録信号の連続的な記録再生を可能とすることができる。【選択図】図１
2008176922.tif 000002
【特許請求の範囲】
【請求項１】
少なくとも記録時における記録情報の転送レートの差を吸収する一時記憶手段と、
記録媒体上の記録情報の少なくとも記録位置を示す位置情報が記録されている管理領域から該位置情報の再生を行う位置情報再生手段と、
前記位置情報再生手段により再生された位置情報に基づいて、記録媒体上の記録情報が記録されている記録領域に対する空き領域を検出する空き領域検出手段と、
前記空き領域検出手段で検出された各空き領域の前後に位置する記録領域から前記空き領域までシークするのに要する時間を「Ｔ」、記録時における記録媒体に対する記録情報の転送レートを「Ａ」、記録情報の転送レートを「Ｂ」、前記空き領域検出手段で検出された空き領域の容量を「ｍ」として、「ｍ＞（Ａ×Ｂ×Ｔ）／（Ａ−Ｂ）」を満足する場合に、その空き領域を、連続的な記録情報の記録再生が可能な空き領域として検出する記録可能空き領域検出手段と、
前記記録媒体に記録する記録情報の情報量を検出する情報量検出手段と、
前記情報量検出手段で検出された記録情報の情報量が所定の情報量以下であった場合、該記録情報の情報量を所定の情報量とするためのダミー情報を形成するダミー情報形成手段と、
前記ダミー情報形成手段で形成されたダミー情報を記録情報に付加することにより、該記録情報の情報量を所定の情報量として前記空き領域検出手段により検出された空き領域に、前記一時記憶手段を介して記録する記録手段と
を有することを特徴とする情報記録装置。
【請求項２】
少なくとも記録時における記録情報の転送レートの差を吸収する一時記憶手段と、
記録媒体上の記録情報の少なくとも記録位置を示す位置情報が記録されている管理領域から該位置情報の再生を行う位置情報再生手段と、
前記位置情報再生手段により再生された位置情報に基づいて、記録媒体上の記録情報が記録されている記録領域に対する空き領域を検出する空き領域検出手段と、
前記空き領域検出手段で検出された各空き領域の前後に位置する記録領域から前記空き領域までシークするのに要する時間を「Ｔ」、記録時における記録媒体に対する記録情報の転送レートを「Ａ」、記録情報の転送レートを「Ｂ」、前記一時記憶手段の容量を「Ｃ」、前記空き領域検出手段で検出された空き領域の容量を「ｍ」として、「Ｃ／Ｂ＞Ｔ」及び「ｍ＞（Ａ×Ｂ×Ｔ）／（Ａ−Ｂ）」を満足する場合に、その空き領域を、連続的な記録情報の記録再生が可能な空き領域として検出する記録可能空き領域検出手段と、
前記記録媒体に記録する記録情報の情報量を検出する情報量検出手段と、
前記情報量検出手段で検出された記録情報の情報量が所定の情報量以下であった場合、該記録情報の情報量を所定の情報量とするためのダミー情報を形成するダミー情報形成手段と、
前記ダミー情報形成手段で形成されたダミー情報を記録情報に付加することにより、該記録情報の情報量を所定の情報量として前記空き領域検出手段により検出された空き領域に、前記一時記憶手段を介して記録する記録手段と
を有することを特徴とする情報記録装置。
【発明の詳細な説明】
【技術分野】
【０００１】
本発明は、例えばＤＶＤ記録再生装置（ＤＶＤ：デジタルビデオディスク或いはデジタルバーサタイルディスク）やＨＤＤ装置（ＨＤＤ：ハードディスクドライブ）等に設けて好適な記録装置に関し、特に複数の転送レートでの記録が可能である場合に、記録媒体上に点在する空き領域の中から、各転送レート毎に連続記録再生が可能となる空き領域を検出して記録信号の記録を行うことにより、映画等の連続的な情報の連続的な記録再生を可能とした記録装置に関する。
【背景技術】
【０００２】
従来、ＭＰＥＧ技術を用いて画像情報や音声情報等の所定の情報に圧縮伸長処理を施して例えばＤＶＤ（デジタルビデオディスク或いはデジタルバーサタイルディスク）に記録再生を行う記録再生装置が知られている。
【０００３】
この記録再生装置には、数種類のアングル中から希望した１つのアングルを選択した際に、ディスク上に間欠的に記録されている前記選択されたアングルに対応する情報を、ジャンプしながら間欠的に再生するマルチアングル機能が設けられている。
【０００４】
また、この記録再生装置には、例えば高画質記録モード、中間画質記録モード及び普通画質記録モードが設けられており、この各記録モードを選択して情報の記録が可能となっている。具体的には、高画質記録モードでは、例えば８Ｍｂｐｓの転送レートの情報を２時間分記録可能となっており、中間画質記録モードでは、例えば４Ｍｂｐｓの転送レートの情報を４時間分記録可能となっている。また、普通画質記録モードでは、２Ｍｂｐｓの転送レートの情報を８時間分記録可能となっている。
【０００５】
従来の記録再生装置には、所定ビットのメモリ（以下トラックバッファ（ＴＢ）という。）が設けられており、このトラックバッファを介して情報の記録再生を行うことで、転送レートの異なる情報の転送レートの差を吸収して前記マルチアングル機能や各記録モードでの記録等を実現するようになっている。
【０００６】
具体的には、前記トラックバッファとしては、例えば４ＭバイトのＤＲＡＭが設けられており、可変転送レートで８Ｍｂｐｓの転送速度の情報を０．５秒程度記憶することができるようになっている。ただ、今日においては、この４Ｍバイトのトラックバッファが使用されることは少なく、この容量以上の、例えば１６Ｍバイト或いは６４Ｍバイトのトラックバッファを使用するのが一般的となっている。１６Ｍバイトのトラックバッファは、可変転送レートで８Ｍｂｐｓの転送速度の情報を２秒程度記憶することができ、６４Ｍバイトのトラックバッファは、可変転送レートで８Ｍｂｐｓの転送速度の情報を８秒程度記憶することができるようになっている。
【０００７】
特開平１０−９２１５８号の特許公開公報には、この間欠的に再生する信号の連続性を維持するために、装置として必要なシーク時間とトラックバッファの容量との関係が開示されている。
【特許文献１】特開平１０−９２１５８号公報
【発明の開示】
【発明が解決しようとする課題】
【０００８】
しかし、ディスクが記録可能なディスクである場合、一度記録したものを一部消去する等の編集を行うと、空き領域と記録済み領域とがそれぞれ不規則に点在することとなるため、記録再生を行う情報の連続性をトラックバッファの容量で確保することが困難となる問題を生ずる。
【０００９】
すなわち、前記４Ｍｂｉｔのトラックバッファの場合、前述のように転送レートが８Ｍｂｐｓの情報を０．５ｓｅｃ分の記憶可能なのであるが、複数回にわたり記録や消去を行うことで、ディスク上のある空き領域から次の空き領域までの間が０．５ｓｅｃ以上離れてしまった場合には、情報を連続的に記録再生することができない。
【００１０】
また、ある空き領域から次の空き領域までの間が０．５ｓｅｃ以上離れてしまった場合において、前記８Ｍｂｐｓの転送レートの情報を８秒分記憶可能な６４ＭＢのトラックバッファを設けたとしても、入力される情報の転送レートが８Ｍｂｐｓで、ディスクに記録する際の転送レートが１０Ｍｂｐｓであった場合には、記録待ち時間の比率は（１０−８）／１０＝０．２となる。すなわち、記録中に２０％に相当する時間をシークに要してしまうと、トラックバッファの容量を増やしたとしても、やはり入力された情報を連続的に記録再生することはできない。
【００１１】
このように情報を連続的に記録再生するためには、入力される情報の転送レートと、トラックバッファの容量と、媒体に記録する際に情報の転送レートと、媒体の空き領域と、媒体の空き領域或いは記録済み領域をシークするシーク時間とが大きく影響する。
【００１２】
本発明は、上述の課題に鑑みてなされたものであり、編集等により媒体上に空き領域が点在する状態となった場合でも、所定の情報を連続的に記録再生可能とすることができるような記録装置の提供を目的とする。
【課題を解決するための手段】
【００１３】
請求項１に記載の本発明に係る記録装置は、上述の課題を解決するための手段として、少なくとも記録時における記録情報の転送レートの差を吸収する一時記憶手段と、記録媒体上の記録情報の少なくとも記録位置を示す位置情報が記録されている管理領域から該位置情報の再生を行う位置情報再生手段と、前記位置情報再生手段により再生された位置情報に基づいて、記録媒体上の記録情報が記録されている記録領域に対する空き領域を検出する空き領域検出手段とを有する。
【００１４】
また、これら各手段に加え、前記空き領域検出手段で検出された各空き領域の前後に位置する記録領域から前記空き領域までシークするのに要する時間を検出するシーク時間検出手段と、記録情報の転送レートを「Ｂ」、前記一時記憶手段の容量を「Ｃ」、前記シークに要する時間を「Ｔ」として、「Ｃ／Ｂ＞Ｔ」を満足する場合に、その空き領域を連続的な記録情報の記録再生が可能な空き領域として検出する記録可能空き領域検出手段と、前記記録可能空き領域検出手段により検出された空き領域に対して、前記一時記憶手段を介して記録情報の記録を行う記録手段とを有する。
【００１５】
請求項２に記載の本発明に係る記録装置は、上述の課題を解決するための手段として、少なくとも記録時における記録情報の転送レートの差を吸収する一時記憶手段と、記録媒体上の記録情報の少なくとも記録位置を示す位置情報が記録されている管理領域から該位置情報の再生を行う位置情報再生手段と、前記位置情報再生手段により再生された位置情報に基づいて、記録媒体上の記録情報が記録されている記録領域に対する空き領域を検出する空き領域検出手段と、前記空き領域検出手段で検出された各空き領域の前後に位置する記録領域から前記空き領域までシークするのに要する時間を検出するシーク時間検出手段とを有する。
【００１６】
また、これら各手段に加え、記録時における記録媒体に対する記録情報の転送レートを「Ａ」、記録情報の転送レートを「Ｂ」、前記空き領域検出手段で検出された空き領域の容量を「ｍ」、前記シークに要する時間を「Ｔ」として、「ｍ＞（Ａ×Ｂ×Ｔ）／（Ａ−Ｂ）」を満足する場合に、その空き領域を、連続的な記録情報の記録再生が可能な空き領域として検出する記録可能空き領域検出手段と、前記記録可能空き領域検出手段により検出された空き領域に対して、前記一時記憶手段を介して記録情報の記録を行う記録手段とを有する。
【００１７】
請求項３に記載の本発明に係る記録装置は、上述の課題を解決するための手段として、少なくとも記録時における記録情報の転送レートの差を吸収する一時記憶手段と、記録媒体上の記録情報の少なくとも記録位置を示す位置情報が記録されている管理領域から該位置情報の再生を行う位置情報再生手段と、前記位置情報再生手段により再生された位置情報に基づいて、記録媒体上の記録情報が記録されている記録領域に対する空き領域を検出する空き領域検出手段と、前記空き領域検出手段で検出された各空き領域の前後に位置する記録領域から前記空き領域までシークするのに要する時間を検出するシーク時間検出手段とを有する。
【００１８】
また、これら各手段に加え、記録時における記録媒体に対する記録情報の転送レートを「Ａ」、記録情報の転送レートを「Ｂ」、前記一時記憶手段の容量を「Ｃ」、前記空き領域検出手段で検出された空き領域の容量を「ｍ」、前記シークに要する時間を「Ｔ」として、「Ｃ／Ｂ＞Ｔ」及び「ｍ＞（Ａ×Ｂ×Ｔ）／（Ａ−Ｂ）」を満足する場合に、その空き領域を、連続的な記録情報の記録再生が可能な空き領域として検出する記録可能空き領域検出手段と、前記記録可能空き領域検出手段により検出された空き領域に対して、前記一時記憶手段を介して記録情報の記録を行う記録手段とを有する。
【００１９】
請求項４に記載の本発明に係る記録装置は、上述の課題を解決するために、前記記録可能空き領域検出手段として、記録信号の転送レートに対応する容量以上の容量を有する空き領域に対してのみ、連続的な記録情報の記録再生が可能であるか否かの判断を行うものを設ける。
【００２０】
請求項５に記載の本発明に係る記録装置は、上述の課題を解決するための手段として、少なくとも記録時における記録情報の転送レートの差を吸収する一時記憶手段と、記録媒体上の記録情報の少なくとも記録位置を示す位置情報が記録されている管理領域から該位置情報の再生を行う位置情報再生手段と、前記位置情報再生手段により再生された位置情報に基づいて、記録媒体上の記録情報が記録されている記録領域に対する空き領域を検出する空き領域検出手段と、前記記録媒体に記録する記録情報の情報量を検出する情報量検出手段とを有する。
【００２１】
また、これら各手段に加え、前記情報量検出手段で検出された記録情報の情報量が所定の転送レートに対応する情報量以下であった場合、該記録情報の情報量を所定の転送レートに対応する情報量とするためのダミー情報を形成するダミー情報形成手段と、前記ダミー情報形成手段で形成されたダミー情報を記録情報に付加することにより、該記録情報の情報量を所定の転送レートに対応する情報量として前記空き領域検出手段により検出された空き領域に記録する記録手段とを有する。
請求項６に記載の本発明に係る記録装置は、上述の課題を解決するための手段として、記録情報の転送レートに対応する前記空き領域の容量、及び／又は、記録情報の転送レートに対応する実質的な記録可能時間を少なくとも表示する表示手段を有する。
【発明の効果】
【００２２】
請求項１に記載の本発明に係る記録装置は、記録可能空き領域検出手段が、記録情報の転送レートを「Ｂ」、前記一時記憶手段の容量を「Ｃ」、前記記録領域のシークに要する時間を「Ｔ」として、「Ｃ／Ｂ＞Ｔ」の容量以上の容量を有する空き領域を、連続的な記録情報の記録再生が可能な空き領域として検出するため、記録情報の転送レートに応じた空き領域を検出することができる。このため、この空き領域に対して選択的に記録情報の記録再生を行うことで、記録情報の転送レートに応じた連続的な記録再生を可能とすることができる。
請求項２に記載の本発明に係る記録装置は、記録可能空き領域検出手段が、記録時における記録媒体に対する記録情報の転送レートを「Ａ」、記録情報の転送レートを「Ｂ」、前記空き領域検出手段で検出された空き領域の容量を「ｍ」、前記記録領域のシークに要する時間を「Ｔ」として、「ｍ＞（Ａ×Ｂ×Ｔ）／（Ａ−Ｂ）」の容量以上の容量を有する空き領域を、連続的な記録情報の記録再生が可能な空き領域として検出するため、記録情報の転送レートに応じた空き領域を検出することができる。このため、この空き領域に対して選択的に記録情報の記録再生を行うことで、記録情報の転送レートに応じた連続的な記録再生を可能とすることができる。
請求項３に記載の本発明に係る記録装置は、記録可能空き領域検出手段が、記録時及び再生時における記録媒体に対する記録情報の転送レートを「Ａ」、記録情報の転送レートを「Ｂ」、前記一時記憶手段の容量を「Ｃ」、前記空き領域検出手段で検出された空き領域の容量を「ｍ」、前記記録領域のシークに要する時間を「Ｔ」として、「Ｃ／Ｂ＞Ｔ」及び「ｍ＞（Ａ×Ｂ×Ｔ）／（Ａ−Ｂ）」の容量以上の容量を有する空き領域を、連続的な記録情報の記録再生が可能な空き領域として検出するため、記録情報の転送レートに応じた空き領域をさらに正確に検出することができる。このため、この空き領域に対して選択的に記録情報の記録再生を行うことで、記録情報の転送レートに応じた連続的な記録再生を確実に可能とすることができる。
請求項４に記載の本発明に係る記録装置は、記録可能空き領域検出手段が、記録信号の転送レートに対応する容量以上の容量を有する空き領域に対してのみ、連続的な記録情報の記録再生が可能であるか否かの判断を行うため、全ての空き領域に対してこの判断を行う場合よりも、対応する空き領域を高速で検索することができ、記録情報の記録に要する時間の短縮化を図ることができる。
請求項５に記載の本発明に係る記録装置は、記録情報の情報量が所定の転送レートに対応する情報量以下であった場合に、ダミー情報形成手段で形成されたダミー情報を記録情報に付加することで、該記録情報の情報量を所定の転送レートに対応する情報量としたうえで記録媒体に記録するようにしている。このため、記録情報の削除を行った際には、この所定の転送レートに対応する情報量の容量の空き領域が形成されることとなる。従って、空き領域の容量の検出を行うことなく記録情報の記録を可能とすることができ、記録情報の記録に要する時間の短縮化を図ることができる。
請求項６に記載の本発明に係る記録装置は、表示手段が、記録情報の転送レートに対応する前記空き領域の容量、及び（又は）、記録情報の転送レートに対応する実質的な記録可能時間を少なくとも表示することにより、ユーザに対して記録情報の記録に対する判断材料を提供することができる。このため、ユーザは、記録情報の転送レートを適宜選択することで、記録媒体上の空き領域を有効に利用することができる。
【発明を実施するための最良の形態】
【００２３】
本発明に係る記録装置は、図１に示すようなＤＶＤ記録再生装置に適用することができる。この本発明の第１の実施の形態となるＤＶＤ記録再生装置は、相変化材料で形成された記録型のＤＶＤ−ＲＷディスク１（ＤＶＤリライタブルディスク：以下、単にディスク１という。）に対して映像情報及び音声情報等の所定の情報を、線速度一定（ＣＬＶ）で記録再生するようになっている。
【００２４】
このディスク１の１周分のデータ量は、ディスク内周で２ＥＣＣブロック程度（１ＥＣＣブロックは、エラー訂正の処理単位で１６セクタからなる。）、ディスク外周で４ＥＣＣブロック程度となっている。また、このディスク１の回転周期は、ディスク内周で４０msec、ディスク外周で８０msec程度となっている。
【００２５】
このようなＤＶＤ記録再生装置は、例えば操作パネルやリモートコントローラ（リモコン）等である操作部２から記録再生の指定がなされると、システムコントローラ３がこれを検出し、ドライバ５及びスピンドルモータ９をディスク１を線速度一定に回転駆動すると共に、サーボ制御回路４及びドライバ５を介して光学ピックアップ６のアクチュエータを駆動して、指定された記録トラックに光学ピックアップ６を移動制御する。
【００２６】
光学ピックアップ６はディスク１にレーザビームを照射して得られた反射光に基づいて、再生信号（ＲＦ信号）、トラッキングエラー信号、フォーカスエラー信号及びコントロールデータを形成する。プリアンプ７は、トラッキングエラー信号、フォーカスエラー信号及びコントロールデータをサーボ制御回路４にそれぞれ帰還する。サーボ制御回路４は、この帰還されたコントロールデータに基づいて、目的のトラックのセクタを再生するようにアクチュエータを駆動してピックアップを移動制御する。また、サーボ制御回路４は、トラッキングエラー信号及びフォーカスエラー信号に基づいて、トラッキングエラー及びフォーカスエラーがそれぞれ零となるようにドライバ５を介して光学ピックアップ６を制御する（フィードバック制御）。
【００２７】
また、プリアンプ７は、再生信号に対して所定のイコライジング処理を施すことで周波数特性を最適化すると共に、ＰＬＬ回路で位相制御を施して信号処理回路８に供給する。また、プリアンプ７は、ジッタ生成回路により、ＰＬＬ回路のビットクロックと再生信号の時間軸とを比較することでジッタ値を形成し、これをシステムコントローラ３に供給する。システムコントローラ３は、このジッタ値を検出し、この検出したジッタ値に基づいて、記録時における波形補正制御を行う。
【００２８】
信号処理回路８は、再生信号がＭＰＥＧの可変転送レートで圧縮符号化されたデータである場合、この再生信号を例えば６４Ｍバイトの第１のトラックバッファ１０（例えばＤＲＡＭ）に一時的に記憶して読み出すことで、再生信号の可変転送レートの時間変動分を吸収する。そして、この第１のトラックバッファ１０から読み出された再生信号をデジタル化して同期検出を行い、ＥＦＭ＋信号（８−１６変調信号）となっている再生信号をＮＲＺデータ（ＮＲＺ：Non Return to Zero）の形態にデコードすると共にＮＲＺデータにエラー訂正処理を施し、これをＡＶ符号化復号化部１１に供給する。
【００２９】
ＡＶ符号化復号化部１１は、信号処理回路８から供給された再生信号を、例えば６４Ｍバイトの第２のトラックバッファ１２に書き込み制御及び読み出し制御しながら、ＭＰＥＧ技術に基づいて圧縮符号化され且つオーディオデータとビデオデータが多重化されている前記再生信号を、圧縮オーディオデータと圧縮ビデオデータに分離すると共に、それぞれをＭＰＥＧ技術に基づいて伸長復号化処理する。
【００３０】
そして、伸長復号化処理したオーディオデータをアナログ化して、例えばテレビジョン受像機のスピーカ部１３に供給する。これにより、ディスク１に記録されているオーディオデータに対応する音響出力を得ることができる。また、ＡＶ符号化復号化部１１は、伸長復号化処理したビデオデータを表示制御部１４に供給する。表示制御部１４は、このビデオデータを例えばＮＴＳＣ方式のテレビジョン信号に変換し、これをテレビジョン受像機の表示部１５に供給する。これにより、ディスク１に記録されているビデオデータに対応する映像出力を得ることができる。
【００３１】
以上、簡単ではあるが当該実施の形態のＤＶＤ記録再生装置の全体的な動作を説明したが、以下、「記録時の動作」及び「再生時の動作」に分けてそれぞれ説明する。
【００３２】
まず、「記録時の動作」であるが、当該実施の形態のＤＶＤ記録再生装置は、例えば画像を記録する場合に、８Ｍｂｐｓの転送レートで２時間分の画像の記録が可能な高画質記録モード、４Ｍｂｐｓの転送レートで４時間の画像の記録が可能な中間画質記録モード、及び２Ｍｂｐｓの転送レートで８時間の画像の記録が可能な普通画質記録モードの３つの記録モードが設けられており、ユーザは、この３つの記録モードの中から所望の記録モードを選択し、これを操作部２を操作して入力する。
【００３３】
システムコントローラ３は、このユーザにより入力された記録モードを検出すると、該記録モードに対応する転送レートをＡＶ符号化復号化部１１に設定すると共に、サーボ制御回路３及びドライバ５を介してスピンドルモータ９を線速度一定に回転制御し、光学ピックアップ６を駆動制御してレーザースポットをディスク１上に照射する。そして、これにより再生された、信号トラックに予め記録されているアドレス信号に基づいて、光学ピックアップ６を目的のセクタに移動制御する。
【００３４】
なお、この例では、ディスク１を線速度一定（ＣＬＶ）に制御することとしたが、これは、角速度一定（ＣＡＶ）、ゾーンＣＡＶ等で制御してもよい。ゾーンＣＡＶとした場合、内周と外周の線速度が３０ゾーン程度に変更になるような場合でも、トラックのアドレス位置をシステムコントローラ３が管理しながら、それぞれの位置にて角速度を設定する。
【００３５】
ＡＶ符号化復号化部１１は、入力端子１６を介して供給される記録信号（映像情報及び音声情報等）を、第２のトラックバッファ１２に対して書き込み及び読み出し制御しながら、ＭＰＥＧ技術を用いて所定の記録単位に圧縮符号化処理し、これを信号処理回路８に供給する。
【００３６】
システムコントローラ３は、コントロールデータに基づいて記録信号の圧縮レートを検出する。信号処理回路８は、システムコントローラ３により検出された圧縮レートに基づいて、第１のトラックバッファ１０に「ＦＵＬＬ」と「ＥＭＰ
ＴＹ」の値をそれぞれ設定し、ＡＶ符号化復号化部１１により圧縮符号化処理された記録信号を第１のトラックバッファ１０に一時的に記憶して読み出すことで、再生信号の可変転送レートの時間変動分を吸収する。
【００３７】
具体的には、図２（ａ）は普通画質記録モード（転送レートが２Ｍｂｐｓの記録モード）における、第１のトラックバッファ１０の記憶領域のデータの占有量の遷移を示す図なのであるが、この図からわかるように、時間ｔ１及び時間ｔ３の間は、２Ｍｂｐｓの転送レートで第１のトラックバッファ１０へ記録情報の書き込みが行われる。前述のように、この第１のトラックバッファ１０へ記録情報の書き込みを行っている間（時間ｔ１及び時間ｔ３の間）は、光学ピックアップ６は、待機状態に制御される。
【００３８】
なお、ＤＶＤ−ＲＷ（ＲＷ：リライタブル）の場合、１倍速でのディスクへの書き込み速度は１１．０８Ｍｂｐｓ又は１０．０８Ｍｂｐｓであるが、この例においては説明を簡素化するために、１倍速でのディスクへの書き込み速度を例えば１０Ｍｂｐｓとして説明する。
【００３９】
第１のトラックバッファ１０に書き込まれた記録情報は、この場合、ディスク１への書き込み速度が１０Ｍｂｐｓであるため、「１０Ｍｂｐｓ−２Ｍｂｐｓ＝８Ｍｂｐｓ」の速度で、時間ｔ２及び時間ｔ４の間に読み出される。光学ピックアップ６は、この第１のトラックバッファ１０から記録情報が読み出されたタイミングで駆動状態に制御される。これにより、前記記録情報がディスク１に記録されることとなる。
【００４０】
同様に、図２（ｂ）は中間画質記録モード（転送レートが４Ｍｂｐｓの記録モード）における、第１のトラックバッファ１０の記憶領域のデータの占有量の遷移を示す図なのであるが、この図からわかるように、時間ｔ１及び時間ｔ３の間は、４Ｍｂｐｓの転送レートで第１のトラックバッファ１０へ記録情報の書き込みが行われる。そして、この第１のトラックバッファ１０に書き込まれた記録情報は、「１０Ｍｂｐｓ−４Ｍｂｐｓ＝６Ｍｂｐｓ」の速度で、時間ｔ２及び時間ｔ４の間に読み出されディスク１に記録される。
【００４１】
同様に、図２（ｃ）は高画質記録モード（転送レートが８Ｍｂｐｓの記録モード）における、第１のトラックバッファ１０の記憶領域のデータの占有量の遷移を示す図なのであるが、この図からわかるように、時間ｔ１及び時間ｔ３の間は、８Ｍｂｐｓの転送レートで第１のトラックバッファ１０へ記録情報の書き込みが行われる。そして、この第１のトラックバッファ１０に書き込まれた記録情報は、「１０Ｍｂｐｓ−８Ｍｂｐｓ＝２Ｍｂｐｓ」の速度で、時間ｔ２及び時間ｔ４の間に読み出されディスク１に記録される。
【００４２】
このように、当該実施の形態のＤＶＤ記録再生装置においては、ディスクの記録再生時の転送レートである１０Ｍｂｐｓに対して、記録時の転送レートを２Ｍｂｐｓ、４Ｍｂｐｓ及び８Ｍｂｐｓと低く設定してあるため、図２（ａ）〜（ｃ）に示す時間ｔ１或いは時間ｔ３で示す光学ピックアップ６を待機状態に制御している間に、各転送レートの差を吸収することができ、連続的に記録情報の記録を行うことができる。
【００４３】
次に、「再生時の動作」であるが、当該実施の形態のＤＶＤ記録再生装置は、再生時となると、システムコントローラ３が再生指定されたトラックの位置に光学ピックアップ６を移動制御すると共に、ディスク１に記録されている前記コントロールデータに基づいて記録時の圧縮レートを検出する。信号処理回路８は、システムコントローラ３により検出された圧縮レートに基づいて、第１のトラックバッファ１０に「ＦＵＬＬ」と「ＥＭＰＴＹ」の値をそれぞれ設定し、光学ピックアップ６により再生された再生信号を第１のトラックバッファ１０に書き込み制御する。
【００４４】
信号処理回路８は、第１のトラックバッファ１０の記憶領域の残量を監視しており、この第１のトラックバッファ１０への再生信号の書き込みにより、第１のトラックバッファ１０の残量が「ＥＭＰＴＹ」を越えたタイミングで、第１のトラックバッファ１０に書き込まれた再生信号の読み出しを開始し、これをＡＶ符号化復号化部１１に供給する。
【００４５】
ＡＶ符号化復号化部１１は、前述のように第２のトラックバッファ１２に再生信号を書き込み及び読み出し制御しながらＭＰＥＧ技術を用いて該再生信号を伸長復号化処理し、音声信号と映像信号とを分離してそれぞれスピーカ部１３及び表示部１５に供給する。
【００４６】
この再生信号の読み出しが行われているときでも、第１のトラックバッファ１０への再生信号の書き込みは継続されているのであるが、以下に説明するように第１のトラックバッファ１０への再生信号の読み出し速度よりも書き込み速度の方が速いため、再生信号は読み出し以上に第１のトラックバッファ１０に書き込まれる。従って、第１のトラックバッファ１０から再生信号が読み出されているときでも、該第１のトラックバッファ１０の前記残量は徐々に減少する（書き込まれた再生信号が徐々に蓄積される。）。
【００４７】
システムコントローラ３は、第１のトラックバッファ１０の記憶領域の残量が「ＦＵＬＬ」となったタイミングで再生を一時停止するように光学ピックアップ６を制御する。これと共に信号処理回路８は、第１のトラックバッファ１０への再生信号の書き込みを一時停止する。これにより、第１のトラックバッファ１０に書き込まれた再生信号が信号処理回路８により読み出されるだけとなるため、第１のトラックバッファ１０の記憶領域の残量は徐々に増加する。
【００４８】
システムコントローラ３は、このように増加する第１のトラックバッファ１０の記憶領域の残量が「ＥＭＰＴＹ」となったタイミングで再生を再開するように光学ピックアップ６を制御する。これと共に信号処理回路８は、第１のトラックバッファ１０への再生信号の書き込みを再開する。
【００４９】
そして、信号処理回路８は、前述のように第１のトラックバッファ１０の記憶領域の残量が「ＦＵＬＬ」となるまで該第１のトラックバッファ１０に再生信号を書き込み制御する。
【００５０】
具体的には、図３（ａ）は普通画質記録モード（転送レートが２Ｍｂｐｓの記
録モード）で記録された記録信号の再生時における第１のトラックバッファ１０の記憶領域のデータの占有量の遷移を示す図なのであるが、この図からわかるように、この場合、ディスクへの記録信号の書き込み速度は１０Ｍｂｐｓであるため、再生が開始されてから第１のトラックバッファ１０の記憶領域の残量が「ＥＭＰＴＹ」となるまでの時間ｔ１の間は、第１のトラックバッファ１０へは１０Ｍｂｐｓの転送レートで再生信号の書き込みが行われ、該残量が「ＥＭＰＴＹ」から「ＦＵＬＬ」となるまでの時間ｔ２，時間ｔ４，時間ｔ６の間は、「１０Ｍｂｐｓ−２Ｍｂｐｓ＝８Ｍｂｐｓ」の転送レートで第１のトラックバッファ１０に再生信号の書き込みが行われる。
【００５１】
また、光学ピックアップ６の再生動作、及び第１のトラックバッファ１０への書き込み動作がそれぞれ一時停止制御される間である、該第１のトラックバッファ１０の残量が「ＦＵＬＬ」から「ＥＭＰＴＹ」となるまでの時間ｔ３，時間ｔ５の間は、２Ｍｂｐｓの転送レートで第１のトラックバッファ１０から再生信号の読み出しが行われる。
【００５２】
同様に、図３（ｂ）は中間画質記録モード（転送レートが４Ｍｂｐｓの記録モード）で記録された記録信号の再生時における第１のトラックバッファ１０の記憶領域のデータの占有量の遷移を示す図なのであるが、この図からわかるように再生が開始されてから第１のトラックバッファ１０の記憶領域の残量が「ＥＭＰＴＹ」となるまでの時間ｔ１の間は、第１のトラックバッファ１０へは１０Ｍｂｐｓの転送レートで再生信号の書き込みが行われ、該残量が「ＥＭＰＴＹ」から「ＦＵＬＬ」となるまでの時間ｔ２，時間ｔ４，時間ｔ６の間は、「１０Ｍｂｐｓ−４Ｍｂｐｓ＝６Ｍｂｐｓ」の転送レートで第１のトラックバッファ１０に再生信号の書き込みが行われる。
【００５３】
また、光学ピックアップ６の再生動作、及び第１のトラックバッファ１０への書き込み動作がそれぞれ一時停止制御される間である、該第１のトラックバッファ１０の残量が「ＦＵＬＬ」から「ＥＭＰＴＹ」となるまでの時間ｔ３，時間ｔ５の間は、４Ｍｂｐｓの転送レートで第１のトラックバッファ１０から再生信号の読み出しが行われる。
【００５４】
同様に、図３（ｃ）は高画質記録モード（転送レートが８Ｍｂｐｓの記録モード）で記録された記録信号の再生時における第１のトラックバッファ１０の記憶領域のデータの占有量の遷移を示す図なのであるが、この図からわかるように再生が開始されてから第１のトラックバッファ１０の記憶領域の残量が「ＥＭＰＴＹ」となるまでの時間ｔ１の間は、第１のトラックバッファ１０へは１０Ｍｂｐｓの転送レートで再生信号の書き込みが行われ、該残量が「ＥＭＰＴＹ」から「ＦＵＬＬ」となるまでの時間ｔ２，時間ｔ４，時間ｔ６の間は、「１０Ｍｂｐｓ−８Ｍｂｐｓ＝２Ｍｂｐｓ」の転送レートで第１のトラックバッファ１０に再生信号の書き込みが行われる。
【００５５】
また、光学ピックアップ６の再生動作、及び第１のトラックバッファ１０への書き込み動作がそれぞれ一時停止制御される間である、該第１のトラックバッファ１０の残量が「ＦＵＬＬ」から「ＥＭＰＴＹ」となるまでの時間ｔ３，時間ｔ５の間は、８Ｍｂｐｓの転送レートで第１のトラックバッファ１０から再生信号の読み出しが行われる。
【００５６】
このように、当該実施の形態のＤＶＤ記録再生装置においては、ディスクの記録再生時の転送レートである１０Ｍｂｐｓに対して、再生時の転送レートを２Ｍｂｐｓ、４Ｍｂｐｓ及び８Ｍｂｐｓと低く設定してあるため、図３（ａ）〜（ｃ）に示す時間ｔ３或いは時間ｔ５で示す光学ピックアップ６を待機状態に制御している間に、各転送レートの差を吸収することができ、連続的に記録情報の再生を行うことができる。
【００５７】
すなわち、記録時或いは再生時においても、各転送レートの差の時間は、ディスク上に記録信号の記録を行わない時間、或いは再生を行わない時間であるため、この分時間的な余裕を持つことができる。従って、ディスク上の記録を行う領域或いは再生を行う領域が一旦途切れたとしても、前記記録を行わない時間或いは再生を行わない時間内に、次に記録を行う領域或いは再生を行う領域に光学ピックアップ６を移動制御することができ、動画等を連続的に記録或いは再生することができる。
【００５８】
次に、当該実施の形態のＤＶＤ記録再生装置の実際の記録動作の説明をする。
図４（ａ）は、上述の記録動作で記録されたディスク上の記録信号（音声情報及び映像情報等）を模式的に示す図であり、この例においては、コントロールデータに続いて記録信号のファイル１（Ｆｉｌｅ１）〜ファイル８（Ｆｉｌｅ８）がそれぞれディスク１上に記録されている。なお、コントロールデータが記録されている側がディスク内周側、記録信号の一つであるファイル８（Ｆｉｌｅ８）が記録されている側がディスク外周側となっている。
【００５９】
ここで、ユーザが、前記操作部２を操作することでディスク１上に記録されている全ファイル（ファイル１〜ファイル８）の中からファイル２，ファイル４，ファイル６，ファイル８を削除したとすると、図４（ｂ）に示すようにディスク１上に４つの分割された空き領域が形成される。
【００６０】
システムコントローラ３は、以下に説明する演算を行い、この演算結果に基づいて新たな記録信号を各空き領域に分割して記録することにより、一連の記録信号を連続して各空き領域に記録可能とし、また、各空き領域に分割して記録された各記録信号を連続して再生可能としている。
【００６１】
図５に、システムコントローラ３が実行する記録制御のフローチャートを示す。このフローチャートは、当該ＤＶＤ記録再生装置のメイン電源が投入されることでスタートとなり、システムコントローラ３がステップＳ１からステップＳ７の各ルーチンの実行を開始する。
【００６２】
まず、ステップＳ１では、システムコントローラ３が、光学ピックアップ６を制御してディスク内周に記録されている前記コントロールデータ（図４（ａ）参照）を再生し、これを第１のトラックバッファ１０に一旦記憶してステップＳ２に進む。
【００６３】
ステップＳ２では、システムコントローラ３が、この第１のトラックバッファ１０に記憶されたコントロールデータ中に記録されている、データ領域中に記録されているビデオファイル等のデータの開始アドレスと終了アドレスの位置から、ディスク１上の一部又は全ての空き領域の開始アドレス及び終了アドレスを検出すると共に、該各空き領域の容量を計算してステップＳ３に進む。
【００６４】
ステップＳ３では、システムコントローラ３が、空き領域と次の空き領域との間に存在する各データ領域の大きさを計算すると共に、各データ領域のシークに要する時間であるシーク時間を検出してステップＳ４に進む。
【００６５】
このシーク時間は、ディスク１がＣＬＶ制御であるため、空き領域の終了アドレスから次の空き領域の開始アドレスまでの間のアドレス差を計算し、システムコントローラ３内のＲＯＭに記憶されているシークテーブルを参照することでトラック移動本数を求め、このトラック移動本数に基づいて、後に説明する所定の係数演算を行うことで算出される。
【００６６】
次にステップＳ４では、システムコントローラ３が、２Ｍｂｐｓ，４Ｍｂｐｓ，８Ｍｂｐｓの各転送レートの中から予め標準として定められた例えば８Ｍｂｐｓの転送レートに基づいて、各データ領域のシーク時間中に、前記第１のトラックバッファ１０が「Ｆｕｌｌ」になるか否か（連続記録再生を可能とする空き領域か否か）を各空き領域毎に判別してステップＳ５に進む。
【００６７】
なお、この例では、８Ｍｂｐｓの転送レートに基づいて、その空き領域が連続記録に適しているか否かの演算を行うこととしたが、これは、操作部３を用いてユーザが任意に変更可能となっており、例えば転送レートとして２Ｍｂｐｓの転送レートが選択された場合はこの２Ｍｂｐｓの転送レートに基づいて、４Ｍｂｐｓの転送レートが選択された場合はこの４Ｍｂｐｓの転送レートに基づいてシステムコントローラ３が前記演算を行うこととなる。
【００６８】
次に、ステップＳ５では、システムコントローラ３が、連続再生に適していない空き領域を除いた各空き領域（連続再生を可能とする空き領域）に基づいて、記録順序を決定すると共に、この決定した全空き領域の容量に対して転送レートを乗算して記録可能時間を計算して図１に示す表示部１５に表示してステップＳ６に進む。
【００６９】
すなわち、
ディスク１への記録再生の転送レートをＡ（Ｍｂｐｓ）、
入力信号の圧縮後の転送レート      をＢ（Ｍｂｐｓ）、
第１のトラックバッファ１０の容量  をＣ（Ｍｂ）、
所定のシーク時間                  をＴ（ｍｓｅｃ）、
所定の領域の記録時間              をＴｗ（ｍｓｅｃ）、
所定の領域の記録容量              をｍ（Ｍｂ）
としてステップＳ２〜ステップＳ５における演算動作をさらに詳しく説明すると、まず、図６に示す第１の空き領域の記録容量をｍとした場合、この第１の空き領域に記録信号を記録する際に要する時間（記録時間Ｔｗ）は、「Ｔｗ＝ｍ／Ａ」となる。
【００７０】
ここで、記録済み領域をシーク中に第１のトラックバッファ１０を「Ｆｕｌｌ」にしないために  BR>ヘ、第１のトラックバッファ１０の容量Ｃを入力信号の転送レートＢで記録している時間よりも、シーク時間Ｔを短くする必要がある（Ｃ／Ｂ＞Ｔ）。なお、このシーク時間Ｔは、トラックを移動する時間及び回転待ち時間を含む時間である。
【００７１】
次に、図６に示す第１の空き領域に記録した記録信号に連続する記録信号を第２の空き領域に記録するには、該第２の空き領域の容量ｍ１として、この空き領域を記録中に第１のトラックバッファ１０が「ＥＭＰＴＹ」近辺になるような所定以上の容量が必要となる。これは、第２の空き領域の容量が所定以上ないと、第１のトラックバッファ１０の記憶容量の残量が少なくならずに、次のシーク中に第１のトラックバッファ１０がオーバーフローしてしまうためである。
【００７２】
この場合、第２の空き領域が有すべき容量は、
「（Ａ−Ｂ）／Ａ＞ Ｔ／（ｍ／Ａ＋Ｔ）」であり、
「ｍ＞（Ａ×Ｂ×Ｔ）／（Ａ−Ｂ）」である。
【００７３】
すなわち、転送レートの差に相当する第１のトラックバッファ１０の容量を、シーク時間Ｔでの転送レートＢの容量が越えないようにしなければならない。前述のように、シーク時間Ｔは、入力信号の転送レートに応じて変化するため、実際に記録するときの転送レートＢによって、記録に必要な空き領域の容量が変動することになる。
【００７４】
具体的には、例えば外周から内周までの最大のシーク時間Ｔを３ｓｅｃ、入力信号の圧縮後の転送レートＢを２Ｍｂｐｓ、ディスク１への記録再生の転送レートＡを１０Ｍｂｐｓとすると、空き領域ｍの容量としては７．５ＭＢ以上の容量が必要であり、シーク時間Ｔを３ｓｅｃ、入力信号の圧縮後の転送レートＢを８Ｍｂｐｓ、ディスク１への記録再生の転送レートＡを１０Ｍｂｐｓとすると、空き領域ｍの容量としては１２０ＭＢ以上必要となる。
【００７５】
また、「Ｆｕｌｌ」の値を第１のトラックバッファ１０の容量の上限値に設定してしまうと、シーク時にオーバーフローを生じた場合には連続的なデータに欠損を生ずる虞がある。このため、図６に示すように第１のトラックバッファ１０には、該第１のトラックバッファ１０の容量の例えば略２／３の値として「Ｆｕｌｌ２」が設定され、この「Ｆｕｌｌ２」の値よりも低い略１／３の値に「Ｆｕｌｌ１」が設定されている。この「Ｆｕｌｌ１」の値が第１のトラックバッファ１０の通常のワーク領域であり、「Ｆｕｌｌ１」から「Ｆｕｌｌ２」までの間の容量が、シーク時にオーバーフローを生じないように確保している上述の第１のトラックバッファ１０の容量Ｃであり、余裕分の記憶容量である。
【００７６】
具体的には、例えば標準的な最大シーク時間Ｔを３ｓｅｃ、再生時の標準的な転送レートＢを８Ｍｂｐｓとした場合、この最大シーク時間Ｔの間、第１のトラックバッファ１０に書き込まれるべきデータのデータ量は２４Ｍｂとなる。このため、前記「Ｆｕｌｌ１」までの容量を２４Ｍｂとした場合、第１のトラックバッファ１０の容量は「Ｆｕｌｌ２」までの容量として４８Ｍｂ必要となる。そして、誤り訂正処理やシステムのワーク領域等に１８Ｍｂを用いるとすると、第１のトラックバッファ１０全体で６４Ｍｂの容量が必要となる。この容量が６４ＭｂのＤＲＡＭは、現在、安価に入手可能であり、一時記憶用メモリとして最適である。従って、この６４ＭｂのＤＲＡＭを用いることにより、当該ＤＶＤ記録再生装置を安価に製作することができ、ユーザに対して安価に提供可能とすることができる。
【００７７】
なお、前述のシーク時間の演算や空き領域の容量の演算等は、適宜簡略化してもよい。また、例えばＲＯＭの中に予め演算した計算結果をテーブル化して記憶しておき、記録再生時にこれを参照してシーク時間や空き領域の容量等を得るようにしてもよい。
【００７８】
システムコントローラ３は、このような演算により全空き領域の容量を検出すると、該各空き領域の容量に対して転送レート（この場合、８Ｍｂｐｓ）を乗算して記録可能時間を計算し、ディスク１上の全空き領域の容量、及び８Ｍｂｐｓの転送レートの場合の記録可能時間及び実効空き容量を前記表示部１５に表示制御する。なお、この場合、前記演算の基準となる転送レートを８Ｍｂｐｓとしたため、８Ｍｂｐｓの転送レートの場合の記録可能時間及び実効空き容量を表示部１５に表示制御することとしたが、これは、ユーザにより４Ｍｂｐｓの転送レート、或いは２Ｍｂｐｓの転送レートが選択された場合は、４Ｍｂｐｓ或いは２Ｍｂｐｓの転送レートの場合の記録可能時間及び実効空き容量が表示部１５に表示制御されることとなる。
【００７９】
次に、図５に示すステップＳ６では、システムコントローラ３が、ユーザからの記録開始指示の有無を検出する。そして、ユーザから記録開始指示がなされるまで当該ステップＳ６を繰り返すことで記録待機状態となり、記録開始指示がなされたタイミングでステップＳ７に進む。
【００８０】
ステップＳ７では、システムコントローラ３が、前記ステップＳ５において決定した記録順序に従って図１に示す入力端子１６を介して供給される記録信号を記録制御する。そして、ユーザから記録停止が指定されたタイミングで当該図５のフローチャートに示す全ルーチンの実行が終了となる。
【００８１】
なお、システムコントローラ３は、記録信号の記録が終了すると、この記録した記録信号と記録位置に関する情報をコントロール信号としてディスク１の前記コントロール領域（図４（ａ）参照）に書き込み制御する。
【００８２】
記録信号の具体的な記録形態は、図４（ｃ）〜（ｅ）に示すようになっている。図４（ｃ）は転送レートが２Ｍｂｐｓの場合の記録形態、図４（ｄ）は転送レートが４Ｍｂｐｓの場合の記録形態、図４（ｅ）は転送レートが８Ｍｂｐｓの場合の記録形態を示している。
【００８３】
まず、転送レートが２Ｍｂｐｓの場合における図４（ｃ）に示す例では、ファイル２、ファイル４、ファイル６、ファイル８の記録信号を消去することで形成された各空き領域の容量が順に大きく（容量：ファイル２＜ファイル４＜ファイル６＜ファイル８）、ファイル３よりファイル５のトータル距離が短く、また、ファイル５よりファイル７のトータル距離が短くなっている。ファイル３よりファイル５のトータル距離が短いということは、ファイル３のシーク時間よりもファイル５のシーク時間の方が短くなっている（シーク時間：ファイル３＞ファイル５）。また、ファイル５よりファイル７のトータル距離が短いということは、ファイル５のシーク時間よりもファイル７のシーク時間の方が短くなっている（シーク時間：ファイル５＞ファイル７）。
【００８４】
このような空き領域の状況において、その空き領域の前段に位置するデータファイルをシークしている間に第１のトラックバッファ１０がＦｕｌｌとならなければその空き領域に記録信号の記録をしても連続再生が可能となる。このため、転送レートが２Ｍｂｐｓである場合には、図４（ｃ）に示すように、まず、ファイル１のデータ領域をシークによりジャンプし、ファイル２を消去することで形成された空き領域にファイル１１の記録信号を記録し、ファイル３のデータ領域をシークによりジャンプし、ファイル４を消去することで形成された空き領域にファイル１２の記録信号を記録する。また、ファイル５のデータ領域をシークしてファイル６を消去することで形成された空き領域にファイル１３の記録信号を記録し、ファイル７のデータ領域をシークしてファイル８を消去することで形成された空き領域にファイル１４の記録信号を記録する。
【００８５】
次に、空き領域の状況が図４（ｃ）に示す状況と同じ場合において、転送レートが４Ｍｂｐｓである場合、転送レートが２Ｍｂｐｓの場合よりも第１のトラックバッファ１０に記憶できる時間が短くなることで、例えばファイル１のデータ領域をシークによりジャンプしている間に第１のトラックバッファ１０がＦｕｌｌとなってしまうとすると、図４（ｄ）に示すように、ファイル２を消去することで形成された空き領域は不適当と判断して記録信号の記録には用いない。
【００８６】
そして、ファイル３のデータ領域をシークによりジャンプしてファイル４を消去することで形成された空き領域にファイル２１の記録信号の記録を行い、同様にファイル５、ファイル７のデータ領域をシークによりジャンプしてファイル６、ファイル８を消去することで形成された各空き領域にファイル２２、ファイル２３の各記録信号をそれぞれ記録する。
【００８７】
次に、空き領域の状況が図４（ｃ）に示す状況と同じ場合において、転送レートが８Ｍｂｐｓである場合、転送レートが４Ｍｂｐｓの場合よりも第１のトラックバッファ１０に記憶できる時間がさらに短くなることで、例えばファイル１及びファイル３のデータ領域をシークによりジャンプしている間に第１のトラックバッファ１０がＦｕｌｌとなってしまうとすると、図４（ｅ）に示すように、ファイル２を消去することで形成された空き領域及びファイル４を消去することで形成された空き領域は不適当と判断して記録信号の記録には用いない。
【００８８】
そして、ファイル５のデータ領域をシークによりジャンプしてファイル６を消去することで形成された空き領域にファイル３１の記録信号の記録を行い、ファイル７のデータ領域をシークによりジャンプしてファイル８を消去することで形成された空き領域にファイル３２の記録信号を記録する。
【００８９】
以上の説明から明らかなように、当該第１の実施の形態のＤＶＤ記録再生装置は、
入力信号の圧縮後の転送レートを      Ｂ（Ｍｂｐｓ）、
第１のトラックバッファ１０の容量を  Ｃ（Ｍｂ）、
所定のシーク時間を                  Ｔ（ｍｓｅｃ）
として「Ｃ／Ｂ＞Ｔ」となる場合に、その空き領域を連続的な信号の記録再生が可能な空き領域と判断して記録信号の記録を行う。
【００９０】
また、
ディスク１への記録再生の転送レートを  Ａ（Ｍｂｐｓ）、
入力信号の圧縮後の転送レート      を  Ｂ（Ｍｂｐｓ）、
所定の領域の記録容量              を  ｍ（Ｍｂ）
所定のシーク時間                  を  Ｔ（ｍｓｅｃ）、
として「ｍ＞（Ａ×Ｂ×Ｔ）／（Ａ−Ｂ）」となる場合に、その空き領域を連続的な信号の記録再生が可能な空き領域と判断して記録信号の記録を行う。
【００９１】
これにより、編集等によりディスク１上に空き領域が点在する状態となった場合でも、動画等の連続した信号を切れ目無く記録再生可能とすることができる。
【００９２】
また、全空き領域の容量や、所定の転送レート（この場合、８Ｍｂｐｓ）での記録可能時間（及び実効空き容量）を表示することにより、ユーザに対してディスク１の空き領域の有効利用の判断材料を提供することができる。このため、記録により無駄となるディスク１の空き領域を削減可能とすることができる。
【００９３】
なお、この第１の実施の形態の説明では、「Ｃ／Ｂ＞Ｔ」及び「ｍ＞（Ａ×Ｂ×Ｔ）／（Ａ−Ｂ）」の両方を満足する場合に、その空き領域を連続的な信号の記録再生が可能な空き領域と判断することとしたが、これは、「Ｃ／Ｂ＞Ｔ」或いは「ｍ＞（Ａ×Ｂ×Ｔ）／（Ａ−Ｂ）」のいずれか一方で判断するようにしてもよい。
【００９４】
次に、本発明の第２の実施の形態のＤＶＤ記録再生装置の説明をする。上述の第１の実施の形態では、所定の転送レート（例えば８Ｍｂｐｓ）に基づいて連続記録再生を可能とする空き領域を検索し、及び記録可能時間等を表示部１５に表示することとしたが、この第２の実施の形態は、２Ｍｂｐｓ、４Ｍｂｐｓ及び８Ｍｂｐｓの各転送レートに基づいて連続記録再生を可能とする空き領域を検索すると共に、各転送レート毎の記録可能時間等を表示部１５に表示するようにした
ものである。
【００９５】
この第２の実施の形態のＤＶＤ記録再生装置のシステムコントローラ３が実行する記録制御のフローチャートを図７に示す。なお、この図７に示すフローチャートの説明においては、上述の第１の実施の形態と同じ動作を示すルーチンには、図５に示したフローチャートのルーチンと同じステップ番号を付し、重複した説明を省略する。
【００９６】
すなわち、この図７のフローチャートにおいて、第２の実施の形態のＤＶＤ記録再生装置のシステムコントローラ３は、ステップＳ１〜ステップＳ３のルーチンを実行することでディスク１上の全空き領域と、各空き領域間のデータ領域のシーク時間を上述のように演算するとステップＳ１１に進む。
【００９７】
ステップＳ１１では、システムコントローラ３が、２Ｍｂｐｓ，４Ｍｂｐｓ，８Ｍｂｐｓでの各転送レート（各記録モード）毎に、連続記録再生可能な空き領域を検出して、該各転送レート毎の記録順序を決定すると共に、この結果に基づいて、各転送レート毎の記録可能時間及び実効空き容量を算出してステップＳ１２に進む。
【００９８】
ステップＳ１２では、システムコントローラ３が、図８に示すようにディスク１上の全空き領域の容量、及び各転送レート毎の記録可能時間（及び実効空き容量）を表示部１５に表示制御してステップＳ１３に進む。このように、各転送レート毎の記録可能時間（及び実効空き容量）等を表示部１５に表示することで、ユーザは、所望の転送レートの選択が可能となる。この転送レートの選択は、図１に示す操作部２を介して行われる。
【００９９】
なお、図８において、全空き領域の容量が２ＧＢであるのに対して、実行空き領域が１．０ＧＢ、１．５ＧＢ等のように少なくなっているが、これは、後に説明するように記録に不適当と判断された空き領域（容量不足の空き領域）は使用せずに、記録に適当と判断された空き領域のみ使用して記録情報の記録を行うためである。
【０１００】
ステップＳ１３では、システムコントローラ３が、ユーザにより所望の転送レートの選択がなされたか否かを判別する。そして、所望の転送レートの選択がなされていない場合は（Ｎｏの場合は）転送レートの入力待ち状態となり、当該ステップＳ１３を繰り返し実行し、所望の転送レートの選択がなされた場合は（Ｙｅｓの場合は）ステップＳ１４に進む。
【０１０１】
ステップＳ１４では、システムコントローラ３が、ユーザにより選択された転送レートに対応する連続記録再生可能な空き領域を検出すると共に、この記録順序を決定してステップＳ１５に進む。ステップＳ１５では、システムコントローラ３が、図１に示す入力端子１６を介して記録すべき記録信号の入力がなされたか否かを判別し、記録信号の入力がなされない場合は（Ｎｏの場合は）、記録信号の入力がなされるまで当該ステップＳ１５のルーチンを繰り返し実行し、記録信号の入力がなされた場合は、ステップＳ７に進む。そして、このステップＳ７において、上述のように連続記録再生可能な空き領域に記録信号を順次記録し、この図７に示すフローチャートの全ルーチンを終了する。
【０１０２】
以上の説明から明らかなように、当該第２の実施の形態のＤＶＤ記録再生装置は、各転送レート毎に連続記録再生が可能な空き領域を検索すると共に、各転送レート毎の記録可能時間等を表示部１５に表示することにより、ユーザに対して
転送レート（記録モード）を選択するうえでの判断材料を提供することができ、無駄な空き領域の発生を削減することができる他、上述の第１の実施の形態と同じ効果を得ることができる。
【０１０３】
次に、本発明の第３の実施の形態のＤＶＤ記録再生装置の説明をする。上述の第２の実施の形態では、各転送レート毎の連続記録再生可能な空き領域を検索することとしたが、この第３の実施の形態は、連続記録再生可能な空き領域の最低限の容量を各転送レート毎に予め決定し、この最低限の容量以下の容量の空き領域は該容量検出の演算を省略することで、各転送レート毎の連続記録再生可能な空き領域の検索時間の短縮化を図ったものである。
【０１０４】
この第３の実施の形態のＤＶＤ記録再生装置のシステムコントローラ３が実行する記録制御のフローチャートを図９に示す。なお、この図９に示すフローチャートの説明においては、上述の第２の実施の形態と同じ動作を示すルーチンには、図７に示したフローチャートのルーチンと同じステップ番号を付し、重複した説明を省略する。
【０１０５】
すなわち、この図９のフローチャートにおいて、第３の実施の形態のＤＶＤ記録再生装置は、ステップＳ１及びステップＳ２においてシステムコントローラ３が上述のようにディスク上の各空き領域の位置と容量を検出するとステップＳ２１に進む。
【０１０６】
ステップＳ２１では、システムコントローラ３が各空き領域の容量を算出すると共に、各空き領域のうち、容量が所定の容量以下の空き領域は記録不可と判断してステップＳ２２に進む。
【０１０７】
具体的には、システムコントローラ３は、転送レートが８Ｍｂｐｓの場合は８ＭＢ以下の容量の空き領域は記録不可と判断し、転送レートが４Ｍｂｐｓの場合は４ＭＢ以下の容量の空き領域は記録不可と判断し、転送レートが２Ｍｂｐｓの場合は２ＭＢ以下の容量の空き領域は記録不可と判断する。或いは、転送レートに関係なく、８ＭＢ以下の容量の空き領域は記録不可と判断するようにしてもよい。
【０１０８】
次にステップＳ２２では、システムコントローラ３が、前記ステップＳ２１で記録可能と判断した空き領域間のシーク時間を計算すると共に、各記録モードでの転送レートと、第１のトラックバッファ１０の容量と前記計算したシーク時間とに基づいて、各転送レート毎の連続記録再生可能な空き領域を検出する。そして、連続記録再生可能な空き領域に対する記録順序を決定すると共に、各転送レート毎の記録可能時間を計算してステップＳ１２に進む。
【０１０９】
ステップＳ１２では、システムコントローラ３が、図８を用いて説明したようにディスク上の全空き領域の容量と共に、各転送レート毎の記録可能時間等を表示部１５に表示制御する。そして、ステップＳ１３〜ステップＳ１５及びステップＳ７において、ユーザにより選択された転送レートで記録信号の記録を行い当該図９のフローチャートに示す全ルーチンを終了する。
【０１１０】
以上の説明から明らかなように、当該第３の実施の形態のＤＶＤ記録再生装置は、連続記録再生可能な空き領域の最低限の容量を各転送レート毎に予め決定し、この最低限の容量以下の容量の空き領域は該容量検出の演算を省略することで、各転送レート毎の連続記録再生可能な空き領域の検索時間の短縮化を図ることができる他、上述の第２の実施の形態と同じ効果を得ることができる。
【０１１１】
次に、本発明の第４の実施の形態のＤＶＤ記録再生装置の説明をする。上述の各実施の形態では、記録される記録信号のデータ量に制限は無く、記録時に記録可能な容量を有しているか否かを各空き領域毎に判断することとしたが、この第４の実施の形態は、記録する記録信号のデータ量を所定のデータ量以上とすることで、データが削除された場合に形成される空き領域の容量も所定の容量以上として、空き領域の容量の計算をすることなく、そのまま記録信号の記録を可能としたものである。
【０１１２】
この第４の実施の形態のＤＶＤ記録再生装置のシステムコントローラ３が実行する記録制御のフローチャートを図１０に示す。この図１０のフローチャートにおいて、第４の実施の形態のＤＶＤ記録再生装置は、ステップＳ３０において、ディスク１に記録されているコントロールデータを取り込み、ステップＳ３１に進む。ステップＳ３１では、システムコントローラ３が、この取り込んだコントロールデータに基づいて、各データ領域の間の容量を検出することで各空き領域の位置及び容量を検出しステップＳ３２に進む。
【０１１３】
以下に説明するが、当該第４の実施の形態では、ステップＳ３２で検出される空き領域の容量が、どの転送レートで記録信号に記録を行っても連続記録再生が可能な容量となっている。
【０１１４】
ステップＳ３２では、システムコントローラ３が、ユーザから記録の指定がなされたか否かを判別し、記録の指定がなされない場合は（Ｎｏの場合は）該記録の指定がなされるまで当該ステップＳ３２のルーチンを繰り返し実行する待機状態となり、記録の指定がなされたタイミングでステップＳ３３に進む。
【０１１５】
ステップＳ３３では、システムコントローラ３が、図４（ａ）〜（ｅ）を用いて説明したように各空き領域に対して記録信号の記録を行いステップＳ３４に進む。但し、この場合、システムコントローラ３は、記録信号が例えば最低８ＭＢとなるようにして記録を行う。もし、記録する記録信号が８Ｍｂに満たない場合は、以下に説明するステップＳ３６で形成されたダミーデータを記録信号に付加することで全データ量を８ＭＢとして記録を行う。
【０１１６】
ステップＳ３４では、システムコントローラ３が、全ての記録信号の記録が終了したか否かを判別し、Ｎｏの場合はステップＳ３３に戻って記録信号の記録を継続し、Ｙｅｓの場合はステップＳ３５に進む。
【０１１７】
ステップＳ３５では、システムコントローラ３が、その空き領域に対して該空き領域が有する容量分の記録信号の記録を行ったか否か、言い換えれば記録信号を記録することでその空き領域が全て記録信号で埋まったか否かを判別し、Ｙｅｓの場合はそのまま当該図１０に示すフローチャートの全ルーチンを終了し、Ｎｏの場合はステップＳ３６に進む。
【０１１８】
ステップＳ３６では、その空き領域が全て記録信号で埋まっていないため、その空き領域の記録信号が記録された領域以外の領域を埋めるためのダミーデータ（例えばヌルデータ）を、信号処理回路８が形成してステップＳ３３に戻る。ステップＳ３３では、上述のようにシステムコントローラ３が、記録信号にダミーデータを付加することにより、該記録信号のデータ容量を８Ｍｂとして記録を行う。
【０１１９】
なお、システムコントローラ３は、記録終了後に、該記録した記録信号に対応するコントロールデータとして、前記ダミーデータを含めた終了位置を記録する。
【０１２０】
以上の説明から明らかなように、当該第４の実施の形態のＤＶＤ記録再生装置は、記録する記録信号の最低限の容量が定められている（この例では８ＭＢ）。このため、編集等により記録信号が削除された場合でも、空き領域の容量は最低８ＭＢ以上となる。従って、２Ｍｂｐｓ、４Ｍｂｐｓ、８Ｍｂｐｓのいずれの転送レートにおいても記録信号の記録を可能とすることができる。従って、空き領域の容量の検出を省略することができ、記録信号の記録までに要する時間を大幅に短縮化することができる他、上述の各実施の形態と同じ効果を得ることができる。
【０１２１】
最後に、上述した各実施の形態の説明は本発明の一例である。このため、本発明は上述の実施の形態に限定されることはない。例えば、上述の各実施の形態は、本発明をＤＶＤに対して記録再生を行うＤＶＤ記録再生装置に適用した例であったが、本発明は、いわゆるハードディスク（ＨＤＤ）等の他の記録媒体に対して記録再生を行う装置に適用してもよい。また、一時記憶手段として、６４ＭバイトのＤＲＡＭの第１のトラックバッファ１０を用いることとしたが、これは、例えばＨＤＤ等の記録装置を用いてもよい。そして、上述した各実施の形態以外であっても、本発明に係る技術的思想を逸脱しない範囲であれば、設計等に応じて種々の変更が可能であることはもちろんである。
【図面の簡単な説明】
【０１２２】
【図１】本発明に係る記録装置を適用した第１の実施の形態となるＤＶＤ記録再生装置の概略的なブロック図である。
【図２】本発明の第１の実施の形態のＤＶＤ記録再生装置の記録時における、各転送レート毎の第１のトラックバッファの記憶領域の占有量の遷移を示す図である。
【図３】本発明の第１の実施の形態のＤＶＤ記録再生装置の再生時における、各転送レート毎の第１のトラックバッファの記憶領域の占有量の遷移を示す図である。
【図４】ディスク上に点在する空き領域、及び各転送レートに応じて各空き領域に記録される記録信号の記録位置を説明するためのディスクの模式図である。
【図５】本発明の第１の実施の形態のＤＶＤ記録再生装置の記録動作を説明するためのフローチャートである。
【図６】前記第１のトラックバッファの記憶領域の占有量の遷移、及び記録信号の記録タイミングを説明するための図である。
【図７】本発明の第２の実施の形態のＤＶＤ記録再生装置の記録動作を説明するためのフローチャートである。
【図８】各転送レート毎に算出され表示される記録可能時間等の表示例を示す図である。
【図９】本発明の第３の実施の形態のＤＶＤ記録再生装置の記録動作を説明するためのフローチャートである。
【図１０】本発明の第４の実施の形態のＤＶＤ記録再生装置の記録動作を説明するためのフローチャートである。
【符号の説明】
【０１２３】
１…ディスク、２…操作部、３…システムコントローラ、４…サーボ制御回路
、５…ドライバ、６…光学ピックアップ、７…プリアンプ、８…信号処理回路、
９…スピンドルモータ、１０…第１のトラックバッファ、１１…ＡＶ符号化復号化部、１２…第２のトラックバッファ、１３…スピーカ部、１４…表示制御部、１５…表示部、１６…記録信号の入力端子
【図１】
2008176922.tif 000003
【図２】
2008176922.tif 000004
【図３】
2008176922.tif 000005
【図４】
2008176922.tif 000006
【図５】
2008176922.tif 000007
【図６】
2008176922.tif 000008
【図７】
2008176922.tif 000009
【図８】
2008176922.tif 000010
【図９】
2008176922.tif 000011
【図１０】
2008176922.tif 000012
【手続補正書】
【提出日】平成20年2月21日(2008.2.21)
【手続補正１】
【補正対象書類名】明細書
【補正対象項目名】００１３
【補正方法】変更
【補正の内容】
【００１３】
請求項１に記載の本発明に係る記録装置は、上述の課題を解決するための手段として、少なくとも記録時における記録情報の転送レートの差を吸収する一時記憶手段と、記録媒体上の記録情報の少なくとも記録位置を示す位置情報が記録されている管理領域から該位置情報の再生を行う位置情報再生手段と、前記位置情報再生手段により再生された位置情報に基づいて、記録媒体上の記録情報が記録されている記録領域に対する空き領域を検出する空き領域検出手段と、前記空き領域検出手段で検出された各空き領域の前後に位置する記録領域から前記空き領域までシークするのに要する時間を「Ｔ」、記録時における記録媒体に対する記録情報の転送レートを「Ａ」、記録情報の転送レートを「Ｂ」、前記空き領域検出手段で検出された空き領域の容量を「ｍ」として、「ｍ＞（Ａ×Ｂ×Ｔ）／（Ａ−Ｂ）」を満足する場合に、その空き領域を、連続的な記録情報の記録再生が可能な空き領域として検出する記録可能空き領域検出手段と、前記記録媒体に記録する記録情報の情報量を検出する情報量検出手段と、前記情報量検出手段で検出された記録情報の情報量が所定の情報量以下であった場合、該記録情報の情報量を所定の情報量とするためのダミー情報を形成するダミー情報形成手段と、前記ダミー情報形成手段で形成されたダミー情報を記録情報に付加することにより、該記録情報の情報量を所定の情報量として前記空き領域検出手段により検出された空き領域に、前記一時記憶手段を介して記録する記録手段とを有する。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】変更
【補正の内容】
【００１５】
請求項２に記載の本発明に係る記録装置は、上述の課題を解決するための手段として、少なくとも記録時における記録情報の転送レートの差を吸収する一時記憶手段と、記録媒体上の記録情報の少なくとも記録位置を示す位置情報が記録されている管理領域から該位置情報の再生を行う位置情報再生手段と、前記位置情報再生手段により再生された位置情報に基づいて、記録媒体上の記録情報が記録されている記録領域に対する空き領域を検出する空き領域検出手段と、前記空き領域検出手段で検出された各空き領域の前後に位置する記録領域から前記空き領域までシークするのに要する時間を「Ｔ」、記録時における記録媒体に対する記録情報の転送レートを「Ａ」、記録情報の転送レートを「Ｂ」、前記一時記憶手段の容量を「Ｃ」、前記空き領域検出手段で検出された空き領域の容量を「ｍ」として、「Ｃ／Ｂ＞Ｔ」及び「ｍ＞（Ａ×Ｂ×Ｔ）／（Ａ−Ｂ）」を満足する場合に、その空き領域を、連続的な記録情報の記録再生が可能な空き領域として検出する記録可能空き領域検出手段と、前記記録媒体に記録する記録情報の情報量を検出する情報量検出手段と、前記情報量検出手段で検出された記録情報の情報量が所定の情報量以下であった場合、該記録情報の情報量を所定の情報量とするためのダミー情報を形成するダミー情報形成手段と、前記ダミー情報形成手段で形成されたダミー情報を記録情報に付加することにより、該記録情報の情報量を所定の情報量として前記空き領域検出手段により検出された空き領域に、前記一時記憶手段を介して記録する記録手段とを有する。
【手続補正４】
【補正対象書類名】明細書
【補正対象項目名】００１６
【補正方法】削除
【補正の内容】
【手続補正５】
【補正対象書類名】明細書
【補正対象項目名】００１７
【補正方法】削除
【補正の内容】
【手続補正６】
【補正対象書類名】明細書
【補正対象項目名】００１８
【補正方法】削除
【補正の内容】
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】削除
【補正の内容】
【手続補正９】
【補正対象書類名】明細書
【補正対象項目名】００２１
【補正方法】削除
【補正の内容】
【手続補正１０】
【補正対象書類名】明細書
【補正対象項目名】００２２
【補正方法】変更
【補正の内容】
【００２２】
請求項１に記載の本発明に係る記録装置は、少なくとも記録時における記録情報の転送レートの差を吸収する一時記憶手段と、記録媒体上の記録情報の少なくとも記録位置を示す位置情報が記録されている管理領域から該位置情報の再生を行う位置情報再生手段と、前記位置情報再生手段により再生された位置情報に基づいて、記録媒体上の記録情報が記録されている記録領域に対する空き領域を検出する空き領域検出手段と、前記空き領域検出手段で検出された各空き領域の前後に位置する記録領域から前記空き領域までシークするのに要する時間を「Ｔ」、記録時における記録媒体に対する記録情報の転送レートを「Ａ」、記録情報の転送レートを「Ｂ」、前記空き領域検出手段で検出された空き領域の容量を「ｍ」として、「ｍ＞（Ａ×Ｂ×Ｔ）／（Ａ−Ｂ）」を満足する場合に、その空き領域を、連続的な記録情報の記録再生が可能な空き領域として検出する記録可能空き領域検出手段と、前記記録媒体に記録する記録情報の情報量を検出する情報量検出手段と、前記情報量検出手段で検出された記録情報の情報量が所定の情報量以下であった場合、該記録情報の情報量を所定の情報量とするためのダミー情報を形成するダミー情報形成手段と、前記ダミー情報形成手段で形成されたダミー情報を記録情報に付加することにより、該記録情報の情報量を所定の情報量として前記空き領域検出手段により検出された空き領域に、前記一時記憶手段を介して記録する記録手段とを有するので、記録情報の転送レートに応じた空き領域を検出することができ、この空き領域に対して選択的に記録情報の記録再生を行うことで、記録情報の転送レートに応じた連続的な記録再生を可能とすることができると共に、記録情報の削除を行って、空き領域が形成されても、ダミー情報の付加により空き領域の容量の検出を行うことなく記録情報の記録を可能とすることができ、記録情報の記録に要する時間の短縮化を図ることができる。
請求項２に記載の本発明に係る記録装置は、少なくとも記録時における記録情報の転送レートの差を吸収する一時記憶手段と、記録媒体上の記録情報の少なくとも記録位置を示す位置情報が記録されている管理領域から該位置情報の再生を行う位置情報再生手段と、前記位置情報再生手段により再生された位置情報に基づいて、記録媒体上の記録情報が記録されている記録領域に対する空き領域を検出する空き領域検出手段と、前記空き領域検出手段で検出された各空き領域の前後に位置する記録領域から前記空き領域までシークするのに要する時間を「Ｔ」、記録時における記録媒体に対する記録情報の転送レートを「Ａ」、記録情報の転送レートを「Ｂ」、前記一時記憶手段の容量を「Ｃ」、前記空き領域検出手段で検出された空き領域の容量を「ｍ」として、「Ｃ／Ｂ＞Ｔ」及び「ｍ＞（Ａ×Ｂ×Ｔ）／（Ａ−Ｂ）」を満足する場合に、その空き領域を、連続的な記録情報の記録再生が可能な空き領域として検出する記録可能空き領域検出手段と、前記記録媒体に記録する記録情報の情報量を検出する情報量検出手段と、前記情報量検出手段で検出された記録情報の情報量が所定の情報量以下であった場合、該記録情報の情報量を所定の情報量とするためのダミー情報を形成するダミー情報形成手段と、前記ダミー情報形成手段で形成されたダミー情報を記録情報に付加することにより、該記録情報の情報量を所定の情報量として前記空き領域検出手段により検出された空き領域に、前記一時記憶手段を介して記録する記録手段とを有するので、記録情報の転送レートに応じた空き領域をさらに正確に検出することができ、この空き領域に対して選択的に記録情報の記録再生を行うことで、記録情報の転送レートに応じた連続的な記録再生を可能とすることができると共に、記録情報の削除を行って、空き領域が形成されても、ダミー情報の付加により空き領域の容量の検出を行うことなく記録情報の記録を可能とすることができ、記録情報の記録に要する時間の短縮化を図ることができる。